(57)【特許請求の範囲】
【請求項１】
所定のサイズで画像が露光され且つ露光済の画像コマに対応した位置に露光済を示す露光済情報が記録され、所定のケースに巻き取られた一連の長尺状のハロゲン化銀感光材料を該ケースから引き出して現像処理する現像処理制御方法であって、
前記ケースから前記ハロゲン化銀感光材料を引き出して現像処理する際に、前記露光済情報を順に読み取り、
露光済情報の読取結果に基づいて、該ハロゲン化銀感光材料における前記露光済情報が記録された最終の画像コマを判別し、判別した最終の画像コマと該最終の画像コマよりも後方側の未露光領域とを切断分離し、
露光済の画像コマが存在する露光済領域を現像処理すると共に、前記未露光領域を前記ケースに巻き戻す、
ことを特徴とする現像処理制御方法。
【請求項２】
前記ケースから前記ハロゲン化銀感光材料を引き出して現像処理する際に、該ハロゲン化銀感光材料における露光可能な全コマ数及び前記露光済情報の読取回数に基づく露光済の画像コマ数に基づいて、前記未露光領域における露光可能なコマ数を算出し、
算出した露光可能なコマ数を示す露光可能コマ数情報を前記未露光領域に記録することを特徴とする請求項１記載の現像処理制御方法。
【請求項３】
所定のサイズで画像が露光され且つ露光済の画像コマに対応した位置に露光済を示す露光済情報が記録され、所定のケースに巻き取られた一連の長尺状のハロゲン化銀感光材料を該ケースから引き出して現像処理する現像装置であって、
前記ハロゲン化銀感光材料を切断する切断手段と、
引き出されたハロゲン化銀感光材料から露光済情報を順に読み取る露光済情報読取手段と、
前記露光済情報読取手段による露光済情報の読取結果に基づいて、該ハロゲン化銀感光材料における前記露光済情報が記録された最終の画像コマを判別し、判別した最終の画像コマと該最終の画像コマよりも後方側の未露光領域とを前記切断手段により切断分離するよう制御する切断制御手段と、
切断分離された前記未露光領域を前記ケースに巻き戻す巻き戻し手段と、
を有する現像装置。
【請求項４】
前記ハロゲン化銀感光材料における露光可能な全コマ数及び前記露光済情報の読取回数に基づく露光済の画像コマ数に基づいて、前記未露光領域における露光可能なコマ数を算出する算出手段と、
前記算出手段で算出した露光可能なコマ数を示す露光可能コマ数情報を前記未露光領域に記録するコマ数情報記録手段と、
をさらに有する請求項３記載の現像装置。
【発明の詳細な説明】
【０００１】
【発明の属する技術分野】
本発明は、現像処理制御方法、現像装置及び画像露光装置に係り、より詳しくは、所定のサイズで画像が露光された一連の長尺状のハロゲン化銀感光材料を対象とした現像処理を制御するための現像処理制御方法、該現像処理制御方法において用いられる現像装置及び画像露光装置に関する。
【０００２】
【従来の技術】
従来より、カメラ等で撮影する際の写真フィルムとしては、ハロゲン化銀感光材料が主に使用されている。このハロゲン化銀感光材料における撮影済（露光済）の部分には、潜像が形成され、撮影後に該ハロゲン化銀感光材料に対し現像・定着・水洗等の処理（湿式処理）を行うことによって、読取可能な画像が形成される。
【０００３】
ところが、上記湿式処理は１本の写真フィルム全体を対象として行われており、一度湿式処理を施すと、写真フィルムにおける未露光の部分は再使用することができなかった。即ち、上記従来からの湿式処理による写真フィルムの現像処理では、露光済の部分のみを現像し、未露光の部分は再使用するために現像しないように制御することはできなかった。
【０００４】
即ち、例えば、２４枚撮りの写真フィルムで５コマ分だけ撮影した後、これら５コマ分だけ現像することはできなかったため、通常は２４コマ全部を撮影し終わるのを待ってから現像していた。もしくは、急を要する場合には、２４コマ全部を撮影し終わるのを待たずに現像し、結果的に残りの１９コマ分を無駄にしていた。
【０００５】
【発明が解決しようとする課題】
本発明は、上記問題点を解消するために成されたものであり、ハロゲン化銀感光材料のうち露光済のコマのみを適切に判別し現像することができる現像処理制御方法、該現像処理制御方法を実行するために必要な現像装置及び画像露光装置を提供することを目的とする。
【０００６】
【課題を解決するための手段】
上記の目的を達成するために、請求項１記載の現像処理制御方法では、ケースからハロゲン化銀感光材料を引き出して現像処理する際に、露光済情報を順に読み取る。
【０００７】
ここで、露光済情報を読み取ることができた場合、露光済の画像コマが存在すると判断することができる。よって、露光済情報を順に読み取りながら、該露光済情報の有無に基づいて、ハロゲン化銀感光材料における露光済の画像コマを判別することができ、露光済情報を読み取れなくなった時点で未露光領域であると判断することができる。
【０００８】
このようにしてハロゲン化銀感光材料における最終の露光済の画像コマを判別し、判別した最終の画像コマと該最終の画像コマよりも後方側の未露光領域とを切断分離する。そして、切断分離されたハロゲン化銀感光材料のうち露光済の画像コマが存在する露光済領域については現像し、一方の未露光領域についてはケースに巻き戻す。
【０００９】
以上のような現像処理制御方法によって、ハロゲン化銀感光材料のうち露光済の画像コマを適切に判別し、露光済の画像コマのみを現像することができる。また、未露光領域についてはケースに巻き戻すことにより、次回の画像露光のために利用することができる。
【００１０】
また、請求項１記載の現像処理制御方法によれば、ハロゲン化銀感光材料の全体に対する画像露光が終了しなくとも、途中の領域まで画像露光した状態でも露光済の画像コマのみを現像することができ、従来のようにハロゲン化銀感光材料の全体について画像露光が終了するまで現像の実行を待つ必要が無くなる。
【００１１】
また、請求項２記載の現像処理制御方法では、上記のような請求項１記載の現像処理制御方法において、ハロゲン化銀感光材料の現像時に、ハロゲン化銀感光材料における露光可能な全コマ数及び露光済情報の読取回数に基づく露光済の画像コマ数に基づいて、未露光領域における露光可能なコマ数を算出する。例えば、露光済情報を読み取った回数をカウントすることにより露光済の画像コマ数を求め、ハロゲン化銀感光材料における露光可能な全コマ数から該露光済の画像コマ数を減算することにより、未露光領域における露光可能なコマ数を算出することができる。そして、該算出した露光可能なコマ数を示す露光可能コマ数情報を未露光領域に記録しておく。
【００１２】
これにより、未露光領域を利用して画像を露光するオペレータは露光可能なコマ数を認識することができる。
【００１３】
次に、請求項３記載の現像装置は、所定のサイズで画像が露光され且つ露光済の画像コマに対応した位置に露光済を示す露光済情報が記録され、所定のケースに巻き取られた一連の長尺状のハロゲン化銀感光材料を該ケースから引き出して現像処理する現像装置であって、前記ハロゲン化銀感光材料を切断する切断手段と、引き出されたハロゲン化銀感光材料から露光済情報を順に読み取る露光済情報読取手段と、前記露光済情報読取手段による露光済情報の読取結果に基づいて、該ハロゲン化銀感光材料における前記露光済情報が記録された最終の画像コマを判別し、判別した最終の画像コマと該最終の画像コマよりも後方側の未露光領域とを前記切断手段により切断分離するよう制御する切断制御手段と、切断分離された前記未露光領域を前記ケースに巻き戻す巻き戻し手段と、を有することを特徴とする。
【００１４】
また、請求項４記載の現像装置は、請求項３記載の現像装置において、前記ハロゲン化銀感光材料における露光可能な全コマ数及び前記露光済情報の読取回数に基づく露光済の画像コマ数に基づいて、前記未露光領域における露光可能なコマ数を算出する算出手段と、前記算出手段で算出した露光可能なコマ数を示す露光可能コマ数情報を前記未露光領域に記録するコマ数情報記録手段と、をさらに有することを特徴とする。
【００１５】
上記請求項３記載の現像装置では、所定のサイズで画像が露光され且つ露光済の画像コマに対応した位置に露光済を示す露光済情報が記録されたハロゲン化銀感光材料をケースから引き出し、露光済情報読取手段によって前記引き出されたハロゲン化銀感光材料から露光済情報を順に読み取る。
【００１６】
ここで上記請求項１記載の発明と同様に、露光済情報を読み取ることができた場合、露光済の画像コマが存在すると判断することができる。よって、露光済情報を順に読み取りながら、該露光済情報の有無に基づいて、ハロゲン化銀感光材料における露光済の画像コマを判別することができ、露光済情報を読み取れなくなった時点で未露光領域であると判断することができる。
【００１７】
このようにして切断制御手段でハロゲン化銀感光材料における最終の露光済の画像コマを判別し、判別した最終の画像コマと該最終の画像コマよりも後方側の未露光領域とを切断手段によって切断分離する。そして、切断分離されたハロゲン化銀感光材料のうち露光済の画像コマが存在する露光済領域については現像し、一方の未露光領域については巻き戻し手段によってケースに巻き戻す。
【００１８】
これにより、ハロゲン化銀感光材料のうち露光済の画像コマを適切に判別し、露光済の画像コマのみを現像することができる。また、未露光領域についてはケースに巻き戻すことにより、次回の画像露光のために利用することができる。さらに、ハロゲン化銀感光材料の全体に対する画像露光が終了しなくとも、途中の領域まで画像露光している状態でも露光済の画像コマのみを現像することができ、従来のようにハロゲン化銀感光材料の全体について画像露光が終了するまで現像の実行を待つ必要が無くなる。
【００１９】
次に、請求項４記載の現像装置では、上記請求項３記載の現像装置において、上記算出手段及びコマ数情報記録手段をさらに具備することにより、算出手段によってハロゲン化銀感光材料における露光可能な全コマ数及び露光済情報の読取回数に基づく露光済の画像コマ数に基づいて、未露光領域における露光可能なコマ数を算出する。例えば、露光済情報を読み取った回数をカウントすることにより露光済の画像コマ数を求め、ハロゲン化銀感光材料における露光可能な全コマ数から該露光済の画像コマ数を減算することにより、未露光領域における露光可能なコマ数を算出することができる。そして、コマ数情報記録手段によって、該算出した露光可能なコマ数を示す露光可能コマ数情報を未露光領域に記録することができる。
【００２５】
【発明の実施の形態】
〔第１実施形態〕
以下、図面を参照して、本発明に係る第１実施形態を説明する。この第１実施形態では、撮影時に本発明のハロゲン化銀感光材料としてのネガフィルムＮの各露光済コマに対応する磁気記録部に、露光済を示す露光済情報を記録し、現像時に該露光済情報に基づいて露光済コマを判別して露光済コマのみを現像するよう制御する実施形態を説明する。
【００２６】
なお、本実施形態では、ネガフィルムＮとして、支持体上に、少なくとも感光性ハロゲン化銀、バインダー、及び画像状に拡散性色素を放出ないし拡散する機能を持つ色材を含み、感光波長領域及び前記色材の現像処理後における色相が互いに異なる少なくとも三種類の感光層を有する色材含有熱現像感光材料を用い、該色材含有熱現像感光材料と重ね合わせて加熱することにより、該色材含有熱現像感光材料上に画像を形成するために、支持体上に少なくとも媒染剤を含む層を有する媒染剤含有処理部材Ｋを用いる。
【００２７】
まず、図１及び図２を用いて、ネガフィルムＮを用いて撮影する、即ちネガフィルムＮに画像を露光するカメラ１０の構成を説明する。図１にはカメラ１０を上方から見た透視図を示す。この図１に示すように、ケーシング１１内にパトローネ１２がセットされ、このパトローネ１２からネガフィルムＮが引き出され、レンズ１３と反対側の面（図１において下側の面）に沿ってネガフィルムＮが搬送される。そして、ネガフィルムＮは、ケーシング１１内でパトローネ１２と反対側の端部（図１において右側の端部）に設置された巻取リール２６によって巻き取られる。また、上記のようなネガフィルムＮの搬送経路に隣接して、後述する露光済情報の記録を行う記録部２２が設けられている。
【００２８】
図２に示すように、カメラ１０には、マイクロコンピュータを含んで構成され露光済情報をネガフィルムＮに記録する処理を制御する制御部２０が設けられている。この制御部２０は、記録部２２、パトローネ１２のスプール１２Ａを回動する駆動軸１６、及び巻取リール２６を回動する駆動軸２６Ａの動作を制御し、ネガフィルムＮの搬送と記録部２２による露光済情報の記録とを同期をとって実行させる。
【００２９】
また、制御部２０は、シャッタ２８が操作され撮影が指示されたことも認識できるよう構成されている。
【００３０】
なお、本実施形態で使用されるネガフィルムＮには、図２の矢印Ｂにて示す搬送方向にみて各コマ３０の両端部付近にそれぞれ１つのパーフォレーション１４が予め設けられており、またネガフィルムＮの幅方向にみてパーフォレーション１４と逆側には、情報を磁気的に記録するための磁気記録部２４が長尺方向に沿って予め設けられている。上記露光済情報は対応する露光済コマの磁気記録部２４に記録される。
【００３１】
次に、図４乃至図６を用いて、上記カメラ１０により撮影されたネガフィルムＮを現像する現像装置５０の構成を説明する。図４に示すように、現像装置５０は略直方体状のケーシング５１で覆われており、その上面の端部には現像処理が完了したネガフィルムを排出するための排出部５３が設けられている。
【００３２】
図５に示すように、現像装置５０には、撮影済のネガフィルムＮを収容したパトローネ１２を装填するパトローネ装填部５６が設けられており、パトローネ装填部５６に装填されたパトローネ１２からネガフィルムＮが引き出され、搬送ローラ６４により矢印Ａ方向に搬送される。上記搬送方向下流側には、ネガフィルムＮに記録された露光済情報等を磁気的に読み取る読取部５８が設けられており、さらに下流側には、ネガフィルムＮを切断するカッタ６２が設けられている。読取部５８で読み取った露光済情報等は、現像装置５０における各種処理を制御する現像制御部６０へ送出される。詳細は後述するが、現像制御部６０は所定タイミングでカッタ６２によってネガフィルムＮを切断し、巻き戻し駆動軸５６Ａを回転駆動することにより、前記切断されたネガフィルムＮの片方をパトローネ１２へ巻き戻す。なお、カッタ６２は、図６に示すように、切断されたネガフィルムＮの先端部が点線ＳＨ１で示すように長尺方向に対し斜めに傾いた輪郭線を描くように、該ネガフィルムＮを切断する。
【００３３】
上記のようなカッタ６２のさらに下流側には、搬送ローラ６４を介して、画像形成用溶媒としての水をネガフィルムＮに塗布する塗布装置６６が設置されている。
【００３４】
また、現像装置５０には、支持体上にネガフィルムＮを現像するための媒染剤を含む層を有する処理部材Ｋがロール状に巻かれた供給リール７０が設置されている。処理部材Ｋは、供給リール７０から搬送ローラ６８へ向けて搬送され、搬送ローラ６８の外周面に巻きかけられた後、ドラム７２の外周面（図５において左側の外周面）に巻きかけられる。さらに、処理部材Ｋは、ドラム７２の上端部近傍に設置された搬送ローラ７６に巻きかけられた後、巻取リール７８にロール状に巻かれて収納される。
【００３５】
前述したネガフィルムＮは、ドラム７２の下面と搬送ローラ６８の上面との間に導かれた後、上記ドラム７２の外周面に巻きかけられて搬送される処理部材Ｋとドラム７２の外周面とで挟まれた状態でドラム７２の外周面に沿って搬送される。これにより、ネガフィルムＮと処理部材Ｋとを重ね合わせて搬送することができる。また、図５においてドラム７２の左側の外周面近傍には、重なり合った状態のネガフィルムＮと処理部材Ｋとを加熱するための加熱部７４が設置されている。
【００３６】
重なり合った状態のネガフィルムＮと処理部材Ｋとがドラム７２の上端部に至ると、このうち処理部材Ｋは搬送ローラ７６に巻きかけられ、ネガフィルムＮから剥離される。この搬送ローラ７６の径は、ドラム７２の径よりもかなり小さいため、ドラム７２の上端部では処理部材Ｋが搬送ローラ７６に巻きかけられることで、該処理部材Ｋの搬送路の曲率半径が小さくなる。これにより、処理部材ＫはネガフィルムＮから容易に剥離される。ネガフィルムＮは剥離された後、複数の搬送ローラ８０によって搬送され、排出部５３から排出される。
【００３７】
なお、現像制御部６０は前述したようにカッタ６２や巻き戻し駆動軸５６Ａの動作だけでなく、ネガフィルムＮ及び処理部材Ｋの搬送動作、塗布装置６６による水塗布動作、及び加熱部７４による加熱動作も制御する。
【００３８】
次に、本第１実施形態における作用を説明する。まず、図１及び図２に示すカメラ１０において撮影時に露光済のコマに対し露光済情報を記録する露光済情報記録処理を説明する。
【００３９】
撮影者がカメラ１０の所定位置にパトローネ１２を装填した後、図示しない撮影ロックボタンを解除して該カメラ１０を撮影可能な状態にすると、制御部２０によって図３に示す制御ルーチンが実行開始される。
【００４０】
まず、図３のステップ２００でネガフィルムＮを搬送し、次のステップ２０４ではネガフィルムＮのコマが所定の撮影位置にセットされたか否かを監視する。ネガフィルムＮのコマが所定の撮影位置にセットされると、ステップ２０６へ進みネガフィルムＮの搬送を停止し、次のステップ２０８でシャッタ２８が押されたか否かを監視する。
【００４１】
シャッタ２８が押される前はステップ２１２へ進み、図示しない巻取指示ボタンによって巻取が指示されたか否かを監視する。以後、ステップ２０８、２１２での監視を繰り返し、シャッタ２８が押されると、ステップ２１０へ進む。
【００４２】
ステップ２１０では、通常の撮影を行うと共に、記録部２２によって露光済コマに対応する磁気記録部２４に、露光済であることを示す露光済情報を記録する。このステップ２１０によって、撮影位置にセットされた１つのコマの撮影（画像の露光）と該コマが露光済であることを示す露光済情報の記録とが実行完了する。そして、次のコマを撮影位置にセットするべくステップ２００へ戻る。
【００４３】
上記のステップ２００〜２１２の実行を繰り返すことにより、１コマずつ撮影され且つ各露光済コマに対応した磁気記録部２４に露光済情報が記録される。
【００４４】
その後、巻取指示されると、ステップ２１２で肯定判定され、ステップ２１４へ進み、駆動軸１６をネガフィルムＮの搬送時と逆方向に回転させることにより、スプール１２Ａを巻取方向に回転させ、ネガフィルムＮを巻き取る。
【００４５】
以上の露光済情報記録処理によって、ネガフィルムＮにおいて露光済コマに対応した磁気記録部２４のみに露光済情報が記録されることになる。
【００４６】
次に、図４及び図５に示す現像装置５０によるネガフィルムＮの熱現像処理を説明する。オペレータが現像装置５０のパトローネ装填部５６にパトローネ１２を装填し、パトローネ１２に収納されたネガフィルムＮの先端に所定長さのリーダ部材を接着した後、図示しないスタートボタンを操作すると、現像制御部６０によって図７に示す制御ルーチンが実行開始される。
【００４７】
図７のステップ３０２では、ネガフィルムＮ及び処理部材Ｋの搬送を駆動すると共に塗布装置６６を稼働開始させる。次のステップ３０４では、搬送されるネガフィルムＮの最初のコマに対応する磁気記録部２４から露光済情報を読取部５８によって読み取り試行する。ここで露光済情報を読み取ることができた場合（ステップ３０６で肯定判定された場合）は、引き続き次のコマに対応する磁気記録部２４から露光済情報を読み取り試行する。このようにしてネガフィルムＮの各コマに対し順に露光済情報の読み取り試行が行われていく。
【００４８】
そして、露光済情報を読み取ることができなかった場合は、ステップ３０６で否定判定されステップ３０８へ進み、図６に示すようにネガフィルムＮにおける露光済コマのうち最後のコマ３０Ｚと該コマ３０Ｚよりもパトローネ１２側の未露光領域との境界部をカッタ６２の切断位置に位置決めする。
【００４９】
さらに次のステップ３１０では、位置決めされたネガフィルムＮをカッタ６２で切断する。このときネガフィルムＮにおける未露光領域の先端部は、一例として図６に点線ＳＨ１で示すように長尺方向に対し斜めに傾いた輪郭線を描くように切断され、該先端部にネガフィルムの先端形状が形成される。
【００５０】
次のステップ３１２では、ネガフィルムＮにおける露光済の画像コマを含む側（以下、露光済ネガフィルムＮ１と称す）を図５の矢印Ａ方向に搬送駆動すると共に、巻き戻し駆動軸５６Ａによって未露光領域を含む側（以下、未露光ネガフィルムＮ２と称す）を図５の矢印Ａと反対方向に搬送駆動してパトローネ１２に巻き戻す。このようにして未露光ネガフィルムＮ２は、パトローネ１２に巻き戻され次回撮影のために利用することが可能となる。さらに、未露光ネガフィルムＮ２の先端部は、図６に点線ＳＨ１で示す先端部形状とされているため、次回撮影の際にカメラ内において該先端部を容易にフィードすることができ、撮影のためのセットアップを円滑に実行できるという利点がある。
【００５１】
図７において次のステップ３１４では、露光済ネガフィルムＮ１の先頭の露光済コマが後述する加熱位置（図５の矢印Ｊ部）に到達したか否かを監視しており、加熱位置に到達するまでは露光済ネガフィルムＮ１の搬送及び上記の監視を続ける。
【００５２】
これにより、露光済ネガフィルムＮ１は、引き続き図５の矢印Ａ方向に搬送され、塗布装置６６の中を通過する。このとき、露光済ネガフィルムＮ１の表面に水が塗布される。水が塗布された露光済ネガフィルムＮ１は、さらに図５の矢印Ａ方向へ搬送され、ドラム７２の下端部と搬送ローラ６８の上端部との間に導かれる。ここで、露光済ネガフィルムＮ１は、供給リール７０から搬送され搬送ローラ６８に巻きかけられた処理部材Ｋとドラム７２の外周部との間に挟まれつつ、ドラム７２の外周部を図５において時計回りに搬送される。このとき処理部材Ｋも露光済ネガフィルムＮ１と同じ搬送速度で搬送される。一方、露光済ネガフィルムＮ１には水が塗布されているため、該露光済ネガフィルムＮ１と処理部材Ｋとは隙間なく密着した状態でドラム７２の外周部を搬送される。
【００５３】
そして、露光済ネガフィルムＮ１の先端がドラム７２の外周部における加熱範囲（即ち、加熱部７４で加熱される範囲）の終端部（矢印Ｊ部）に到達したら、露光済ネガフィルムＮ１は加熱位置に到達したとみなし、ステップ３１４で肯定判定する。
【００５４】
次のステップ３１６では、露光済ネガフィルムＮ１及び処理部材Ｋの搬送を一時停止し、次のステップ３１８では加熱部７４によって、上記密着した状態の露光済ネガフィルムＮ１及び処理部材Ｋを所定時間加熱する。
【００５５】
ここで、露光済ネガフィルムＮ１に含まれる色材から画像状に拡散性色素が放出ないし拡散し、該拡散性色素の一部又は全部が露光済ネガフィルムＮ１から除去される。これにより、該露光済ネガフィルムＮ１上に少なくとも三色の色画像が形成される。なお、前述したように露光済ネガフィルムＮ１には水が付着しているので、上記露光済ネガフィルムＮ１はむらなく熱現像される。
【００５６】
所定時間の加熱が完了すると、ステップ３２０へ進み、露光済ネガフィルムＮ１及び処理部材Ｋの搬送駆動を再開する。その後、露光済ネガフィルムＮ１及び処理部材Ｋがドラム７２の上端部（矢印Ｈ部）に搬送されると、処理部材Ｋは搬送ローラ７６に巻きかけられ、一方の露光済ネガフィルムＮ１は搬送ローラ８０によって排出部５３へ向けて搬送される。これにより、露光済ネガフィルムＮ１と処理部材Ｋとは剥離されることとなる。そして、処理部材Ｋは巻取リール７８に巻き取られ、露光済ネガフィルムＮ１は排出部５３から外部へ排出される。
【００５７】
なお、上記のように露光済ネガフィルムＮ１及び処理部材Ｋの搬送を一時停止して、加熱部７４によって該露光済ネガフィルムＮ１全体を一度に熱現像する以外にも、例えば、上記ステップ３０２で露光済ネガフィルムＮ１及び処理部材Ｋの搬送を開始すると同時に、加熱部７４による加熱を開始しておき、塗布装置６６で水が塗布された露光済ネガフィルムＮ１を、処理部材Ｋとドラム７２とで等速度で挟持搬送する間に加熱することにより熱現像しても良い。このように露光済ネガフィルムＮ１を等速度で挟持搬送すれば、露光済ネガフィルムＮ１の各コマ画像は同じ時間ずつ加熱されることになり、現像むらを生じることなく首尾良く熱現像することができる。また、上記のようにして熱現像すれば、加熱部７４による加熱範囲を露光済ネガフィルムＮ１全体をカバーする程度に大きく構成する必要はなくなり、露光済ネガフィルムＮ１及び処理部材Ｋの搬送を一時停止したり、再開したりする必要はなく（図７のステップ３１４〜３２０の処理が不要となり）、露光済ネガフィルムＮ１を搬送しながら熱現像することができる。
【００５８】
以上の説明から明らかなように、本第１実施形態によれば、ネガフィルムＮにおける露光済コマのみが熱現像され、露光済の各コマに画像が顕在化される。ネガフィルムＮにおける未露光領域については熱現像は行われず、パトローネ１２へ巻き戻される。即ち、未露光領域を現像処理するといった無駄な処理を無くすことができると共に、該未露光領域を露光のために再利用することができる。
【００５９】
なお、上記第１実施形態におけるカッタ６２は、図６に示した形状に限定されるものではなく、他の形状のカッタ、例えば、図１３に示すように未露光領域（未露光ネガフィルムＮ２）の先端部が幅方向に狭くなった所謂ベロ状となるように切断するカッタ６２Ｓを用いても良い。
【００６０】
〔第２実施形態〕
次に、本発明に係る第２実施形態を説明する。この第２実施形態では、第１実施形態で説明した露光済情報に基づいて未露光領域の露光可能なコマ数を求め、露光可能コマ数情報を未露光ネガフィルムＮ２に記録し、次回撮影時に該露光可能コマ数情報を読み取って撮影者に報知する実施形態を説明する。
【００６１】
まず、図８を用いて第２実施形態における現像装置５０Ｓの構成を説明する。なお、図５に示す第１実施形態の現像装置５０と同一の構成要素には同一の番号を付し、説明を省略する。
【００６２】
図８に示す第２実施形態の現像装置５０Ｓにおいて、現像制御部６０は読取部５８で露光済情報を読み取った回数をカウントすることにより露光済コマ数を求め、ネガフィルムＮ全体で露光可能な全コマ数から該露光済コマ数を減算して未露光領域の露光可能なコマ数を求める。また、現像装置５０Ｓは情報書込部８２を具備し、切断されたネガフィルムＮにおける未露光領域（未露光ネガフィルムＮ２）をパトローネ１２に巻き戻す際に露光可能コマ数情報を、図６に示す未露光ネガフィルムＮ２の磁気記録部２４Ｓ（一例として未露光ネガフィルムＮ２の先端から２番目の磁気記録部）に情報書込部８２によって記録する機能を有する。
【００６３】
次に、図１０及び図１１を用いて第２実施形態におけるカメラ１０Ｓの構成を説明する。図１０及び図１１に示すようにカメラ１０Ｓには、未露光ネガフィルムＮ２の磁気記録部２４Ｓに記録された情報（例えば、露光可能コマ数情報）を読み取り、制御部２０に通知する情報読取部２３が設けられ、さらに上記露光可能なコマ数等の情報を表示する表示部２７がケーシング１１の外部に設けられている。
【００６４】
次に、本第２実施形態の作用を説明する。まず、図９を用いて現像装置５０ＳによるネガフィルムＮの熱現像処理を説明する。なお、図７に示す第１実施形態における熱現像処理と同じ処理には、ステップ番号の末尾に「Ａ」を付加して記載しており、説明を省略する。
【００６５】
図９に示す熱現像処理の最初のステップ３０１では、露光済コマ数をカウントするためのカウンタＭ１を「０」にリセットする。そして、次のステップ３０２ＡでネガフィルムＮ及び処理部材Ｋの搬送を駆動すると共に塗布装置６６を稼働開始させる。次のステップ３０４Ａで最初のコマを対象とした露光済情報の読み取り試行を行い、露光済情報を読み取れた場合（ステップ３０６Ａで肯定判定の場合）には、１つの露光済コマを検出したとみなせるので、ステップ３０７へ進みカウンタＭ１をカウントアップする。
【００６６】
その後、ステップ３０４Ａへ戻り、次のコマに対し露光済情報の読み取り試行を行い、露光済情報を読み取れた場合、ステップ３０７へ進み再度カウンタＭ１をカウントアップする。このようにネガフィルムＮのコマに対し順に露光済情報の読み取り試行を行い、露光済情報を読み取れたときにその都度カウンタＭ１をカウントアップする。その後、露光済情報を読み取れなくなった時点で、露光済コマは終了したとみなせるので、ステップ３０８Ａへ進む。この時点でカウンタＭ１には、露光済コマ数がセットされている。
【００６７】
以後、ステップ３１０ＡでネガフィルムＮにおける最後の露光済コマと未露光領域との境界部をカッタ６２で切断した後、次のステップ３１１では、ネガフィルムＮ全体の露光可能な全コマ数から、上記カウンタＭ１で示す露光済コマ数を減算して未露光領域の露光可能なコマ数Ｍ２を算出する。なお、ネガフィルムＮ全体の露光可能な全コマ数の情報は、パトローネ１２をパトローネ装填部５６に装填したときに、該パトローネ１２の側面に予め記録された露光可能な全コマ数の情報を示すバーコードから図示しないバーコードリーダによって読み取ることにより得ても良いし、露光可能な全コマ数の情報が記録された、ネガフィルムＮの先頭の磁気記録部から、読取部５８によって読み取ることにより得ても良い。
【００６８】
そして次のステップ３１３では、切断されたネガフィルムＮにおいて露光済コマ側（露光済ネガフィルムＮ１）を図８の矢印Ａ方向に搬送駆動すると共に、未露光領域側（未露光ネガフィルムＮ２）を図８の矢印Ａと反対方向に搬送駆動してパトローネ１２へ巻き戻しつつ、上記未露光領域の露光可能コマ数Ｍ２の情報を、図６に示す未露光ネガフィルムＮ２の磁気記録部２４Ｓに情報書込部８２によって記録する。以後、ステップ３１４Ａ〜３２０Ａにおいて、第１実施形態と同様に露光済ネガフィルムＮ１の露光済コマのみを対象とした熱現像処理を行う。
【００６９】
以上の図９の処理によって、未露光領域の露光可能コマ数Ｍ２が算出され、その情報が未露光ネガフィルムＮ２の磁気記録部２４Ｓに記録される。そして、該未露光ネガフィルムＮ２はパトローネ１２へ巻き戻される。
【００７０】
次に、パトローネ１２へ巻き戻された未露光ネガフィルムＮ２を用いてカメラ１０Ｓで撮影する際の処理を、図１２を用いて説明する。
【００７１】
撮影者がカメラ１０Ｓの所定位置にパトローネ１２を装填した後、図示しない撮影ロックボタンを解除して該カメラ１０Ｓを撮影可能な状態にすると、制御部２０によって図１２に示す制御ルーチンが実行開始される。
【００７２】
図１２のステップ２０１で未露光ネガフィルムＮ２を搬送し、次のステップ２０２では、情報読取部２３によって磁気記録部２４Ｓから露光可能コマ数Ｍ２の情報を読み取る。そして、次のステップ２０３では、読み取った露光可能コマ数Ｍ２を表示部２７に表示する。これにより、撮影者は表示部２７の表示を見て未露光領域の露光可能コマ数Ｍ２を認識することができる。
【００７３】
以上説明した第２実施形態によれば、撮影時にネガフィルムＮに記録した露光済情報に基づいて、現像時に露光済コマ数Ｍ１を検出し未露光領域の露光可能コマ数Ｍ２を算出することができる。そして、該露光可能コマ数Ｍ２の情報をネガフィルムＮにおける未露光領域（未露光ネガフィルムＮ２）に記録しておくことにより、該未露光ネガフィルムＮ２を撮影に利用する際に、露光可能コマ数Ｍ２を表示部２７に表示させ、撮影者に露光可能コマ数Ｍ２を認識させることができる。
【００７４】
なお、上記第２実施形態では、露光可能コマ数Ｍ２を現像装置５０Ｓで算出する例を示したが、カメラ１０Ｓで算出しても良い。即ち、現像装置５０Ｓでは露光済情報を読み取った回数をカウントすることにより露光済コマ数Ｍ１を検出し、該露光済コマ数Ｍ１の情報及び元のネガフィルムＮ全体の露光可能な全コマ数の情報を未露光ネガフィルムＮ２に記録しておく。そして、該未露光ネガフィルムＮ２を撮影に利用する際に、カメラ１０Ｓにおいて、露光済コマ数Ｍ１の情報及び露光可能な全コマ数の情報を読み取り、全コマ数から露光済コマ数Ｍ１を減算することにより未露光領域の露光可能コマ数Ｍ２を算出しても良い。
【００７５】
なお、上記第１、第２実施形態では、露光済情報や露光可能コマ数Ｍ２の情報を、ネガフィルムＮに予め設けられた磁気記録部２４に磁気的に記録する例を示したが、磁気的に記録するだけでなく、露光済を示す所定のマークやバーコード等をかなり大きな露光量で露光することにより記録しても良いし、ネガフィルムＮに所定の切欠きや孔を設けることによって記録しても良い。
【００７６】
また、上記第１、第２実施形態におけるハロゲン化銀感光材料としてのネガフィルムＮは、支持体上に、少なくとも感光性ハロゲン化銀、バインダー、及び色素供与性カプラーを含み、その感光波長領域及び前記色素供与性カプラーから形成される色素の色相が互いに異なる少なくとも三種類の感光層を有するネガフィルムを使用しても良い。
【００７７】
【発明の効果】
以上説明したように、本発明によれば、ハロゲン化銀感光材料のうち露光済の画像コマを適切に判別し、露光済の画像コマのみを現像することができる。また、未露光領域についてはケースに巻き戻すことにより、次回の画像露光のために利用することができる。さらに、ハロゲン化銀感光材料の全体に対する画像露光が終了しなくとも、途中の領域まで画像露光している状態でも露光済の画像コマのみを現像することができ、従来のようにハロゲン化銀感光材料の全体について画像露光が終了するまで現像の実行を待つ必要が無くなる。
【００７８】
また、特に請求項２記載の発明によれば、未露光領域を利用して画像を露光するオペレータに露光可能なコマ数を認識させることができる、という特有の効果が得られる。
【図面の簡単な説明】
【図１】第１実施形態におけるカメラにネガフィルムが装填された状態を示す図である。
【図２】第１実施形態においてネガフィルムへの露光済情報の記録に係る構成要素を示すブロック図である。
【図３】第１実施形態においてカメラ内の制御部によって実行される制御ルーチンを示す流図である。
【図４】第１、第２実施形態における現像装置の外観を示す斜視図である。
【図５】第１実施形態における現像装置の概略構成図である。
【図６】カッタの外観及び該カッタによるネガフィルムの切断形状を示す図である。
【図７】第１実施形態において現像装置内の現像制御部によって実行される制御ルーチンを示す流図である。
【図８】第２実施形態における現像装置の概略構成図である。
【図９】第２実施形態において現像装置内の現像制御部によって実行される制御ルーチンを示す流図である。
【図１０】第２実施形態におけるカメラにネガフィルムが装填された状態を示す図である。
【図１１】第２実施形態においてネガフィルムへの露光済情報の記録及び未露光領域の露光可能コマ数の読取に係る構成要素を示すブロック図である。
【図１２】第２実施形態においてカメラ内の制御部によって実行される制御ルーチンを示す流図である。
【図１３】カッタの他の形状例及び該カッタによるネガフィルムの切断形状を示す図である。
【符号の説明】
１０    カメラ（画像露光装置）
１２    パトローネ（ケース）
２０    制御部
２２    記録部（露光済情報記録手段）
２３    情報読取部（コマ数情報読取手段）
２７    表示部（報知手段）
５０    現像装置
５６Ａ  巻き戻し駆動軸（巻き戻し手段）
５８    読取部（露光済情報読取手段）
６０    現像制御部
６２    カッタ（切断手段）
８２    情報書込部（コマ数情報記録手段）
Ｋ      処理部材
Ｎ      ネガフィルム（ハロゲン化銀感光材料）
【図１】
0003643176.tif 000002
【図２】
0003643176.tif 000003
【図３】
0003643176.tif 000004
【図４】
0003643176.tif 000005
【図５】
0003643176.tif 000006
【図６】
0003643176.tif 000007
【図７】
0003643176.tif 000008
【図８】
0003643176.tif 000009
【図９】
0003643176.tif 000010
【図１０】
0003643176.tif 000011
【図１１】
0003643176.tif 000012
【図１２】
0003643176.tif 000013
【図１３】
0003643176.tif 000014